【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】  
【請求項１】  地図が表示可能な表示手段への地図表示を制御する制御手段、および
コンピュータネットワーク上に蓄積されている情報を識別するためのＵＲＬと地図内の地点のデータとアイコンのデータとを相互に関連付けて記憶しているＵＲＬ記憶手段を含み、
制御手段が、地図の少なくとも一部分を表示手段に表示させ、かつＵＲＬ記憶手段の記憶内容に基づき、該地図の表示中の部分内の地点に関連付けられているＵＲＬに関連付けられているアイコンを、該地図の表示中の部分内の該地点に重ねて表示させ、
ＵＲＬに関連付けられているアイコンの一部分の形状が、ＵＲＬに関連付けられているアイコン固有の予め定める形状に統一されていることを特徴とするナビゲーション装置。
【請求項２】  ＵＲＬに関連付けられているアイコンと、ＵＲＬに関連付けられていない他のアイコンとが区別されて表示されることを特徴とする請求項１記載のナビゲーション装置。
【請求項３】  指示入力のために用いられる入力手段、および
コンピュータネットワークとの間の通信のための通信手段をさらに含み、
前記制御手段が、入力手段からの入力結果に応答して、前記地図の表示中の部分に重ねて表示されていて、かつＵＲＬに関連付けられているアイコンを選択的に指定し、コンピュータネットワークとの間の通信回線を通信手段を用いて確立し、指定されているアイコンに関連付けられているＵＲＬによって識別される情報を、コンピュータネットワーク内から該通信回線を介して入手することを特徴とする請求項１または２記載のナビゲーション装置。
【請求項４】  前記制御手段は、前記ＵＲＬに関連付けられているアイコンの未指定の期間を計時しており、かつ、該アイコンの外形が該未指定の期間に応じた形状になるように該アイコンのデータを加工して、加工後のアイコンのデータに基づき該アイコンを前記地図の表示中の部分に重ねて表示させ、
前記ＵＲＬに関連付けられているアイコンの未指定の期間が長いほど、前記地図内の該アイコンと重なる部分が多く露出する形状に、該アイコンを加工することを特徴とする請求項１〜３のうちのいずれか１項記載のナビゲーション装置。
【請求項５】  前記制御手段は、前記ＵＲＬに関連付けられているアイコンの未指定の期間を計時しており、該未指定の期間が予め定める基準時間以上のＵＲＬに関連付けられるアイコンの形状が該アイコンの輪郭だけを示す形状になるように該アイコンのデータを加工して、加工後のアイコンのデータに基づき該アイコンを前記地図の表示中の部分に重ねて表示させることを特徴とする請求項１〜４のうちのいずれか１項記載のナビゲーション装置。
【請求項６】  前記制御手段が、前記地図の表示中の部分内の地点に関連付けられている全ＵＲＬに表示の優先順位を付し、優先順位が高い一部のＵＲＬにそれぞれ対応するアイコンだけを、該地図の表示中の部分に重ねて表示させることを特徴とする請求項１〜５のうちのいずれか１項記載のナビゲーション装置。
【請求項７】  指示入力のために用いられる入力手段をさらに含み、
前記ＵＲＬに関連するアイコンとは異なる形態のアイコンが、前記ＵＲＬ記憶手段にさらに記憶されており、
前記制御手段が、
（１）前記地図の表示中の部分内の複数のＵＲＬが関連付けられている１地点に、前記異なる形態のアイコンだけを重ねて表示させ、
（２）入力手段からの入力結果に応答して前記異なる形態のアイコンが指定される場合、該異なる形態のアイコンが表示されている地点に関連付けられている複数のＵＲＬに関連付けられているアイコンを、前記地図の表示中の部分に重ねて表示することを特徴とする請求項１〜６のうちのいずれか１項記載のナビゲーション装置。
【請求項８】  前記制御手段は、前記ＵＲＬに関連付けられているアイコンの形状が統一されている一部分の表示様態が該アイコンを過去に指定しているか否かに応じた表示様態になるように、前記ＵＲＬ記憶手段内の該アイコンのデータを加工し、加工後のアイコンのデータを該ＵＲＬ記憶手段に記憶させることを特徴とする請求項１〜７のうちのいずれか１項記載のナビゲーション装置。
【請求項９】  前記制御手段は、前記ＵＲＬに関連付けられているアイコンの形状が統一されている一部分の表示様態が該アイコンが過去に指定された時点からの経過時間に応じた表示様態になるように、前記ＵＲＬ記憶手段内の該アイコンのデータを加工して、加工後のアイコンのデータを該ＵＲＬ記憶手段に記憶させることを特徴とする請求項１〜８のうちのいずれか１項記載のナビゲーション装置。
【請求項１０】  前記制御手段は、前記ＵＲＬに関連付けられているアイコンの形状が統一されている一部分の表示様態が該ＵＲＬによって識別される情報の入手が可能か否かに応じた表示様態になるように、前記ＵＲＬ記憶手段内の該アイコンのデータを加工して、加工後のアイコンのデータを該ＵＲＬ記憶手段に記憶させることを特徴とする請求項１〜９のうちのいずれか１項記載のナビゲーション装置。
【請求項１１】  指示入力のために用いられる入力手段をさらに含み、
前記アイコンのデータが、該アイコンの形状統一されている部分および背景を示す画像データと、背景に重ねて記載される文字列を示すテキストデータとを含み、
前記制御手段が、入力手段からの入力結果に応答して、前記ＵＲＬ記憶手段内のアイコンのデータ内のテキストデータを書換えることを特徴とする請求項１〜１０のうちのいずれか１項記載のナビゲーション装置。
【請求項１２】  指示入力のために用いられる入力手段をさらに含み、
前記ＵＲＬ記憶手段が、単一のＵＲＬに複数のアイコンのデータを関連付けて記憶しており、
前記制御手段が、
（１）入力手段からの入力結果に応答して、単一ＵＲＬに関連付けられている全アイコンのうちのいずれか１つを選択して、選択結果をアイコンのデータに付加して前記ＵＲＬ記憶手段に記憶させており、
（２）アイコン表示時に、地図の表示中の部分内の地点に関連付けられているＵＲＬに関連付けられており、かつ予め選択されているいずれか１つのアイコンを、該地図の表示中の部分内に重ねて表示させることを特徴とする請求項１〜１１のうちのいずれか１項記載のナビゲーション装置。
【請求項１３】  通信を実行するための通信手段をさらに含み、
前記制御手段が、コンピュータネットワークとの間の通信回線を通信手段を用いて確立し、アイコンのデータをコンピュータネットワークから該通信回線を介して入手して、ＵＲＬに関連付けつつ前記ＵＲＬ記憶手段に記憶させることを特徴とする請求項１２記載のナビゲーション装置。
【請求項１４】  ナビゲーション装置の現在の位置を測定している位置測定手段をさらに含み、
前記ＵＲＬ記憶手段が、ＵＲＬによって識別される情報の概要を、該ＵＲＬに関連付けてさらに記憶しており、
前記制御手段が、測定されている現在位置と地図内のＵＲＬに関連付けられている地点とを比較し、該現在位置からの距離が予め定める第１基準距離未満の地点に関連するＵＲＬによって識別される情報の概要を、該地図の表示中の一部分にさらに重ねて表示させることを特徴とする請求項１〜１３のうちのいずれか１項記載のナビゲーション装置。
【請求項１５】  指示入力のために用いられる入力手段をさらに含み、
前記制御手段が、入力手段からの入力結果に基づき、到達すべき目的地を地図上に予め設定しており、
前記制御手段が、測定されている現在位置からの距離が前記第１基準距離未満の地点と設定されている目的地とをさらに比較し、該目的地からの距離が予め定める第２基準距離未満であり、かつ該目的地から離れている地点に係る情報の概要の表示を中止することを特徴とする請求項１４記載のナビゲーション装置。
【請求項１６】  指示入力のために用いられる入力手段をさらに含み、
前記制御手段が、入力手段からの入力結果に基づき、到達すべき目的地を地図上に予め設定しており、
前記制御手段が、設定されている目的地とＵＲＬに関連付けられている地点とを比較し、いずれかの該地点と該目的地とが一致しているならば、測定されている現在位置と目的地とが前記地図の表示中の一部分内に含まれる場合に、該目的地と一致する地点に関連するＵＲＬによって識別される情報の概要を表示させることを特徴とする請求項１４または１５記載のナビゲーション装置。
【請求項１７】  報知を実行するための報知手段、および
通信を実行するための通信手段をさらに含み、
前記制御手段が、
（１）前記ＵＲＬによって識別される情報の概要の表示と共に、コンピュータネットワークからの該情報の入手を行うか否かを報知手段を用いて報知し、
（２）報知後の入力手段からの入力結果に応答し、前記情報の入手が指示された場合だけ、コンピュータネットワークとの間の通信回線を通信手段を用いて確立し、目的地と一致する地点に関連付けられているＵＲＬによって識別される情報を、コンピュータネットワーク内から該通信回線を介して入手することを特徴とする請求項１４〜１６のうちのいずれか１項記載のナビゲーション装置。
【請求項１８】  請求項１〜１７のうちのいずれか１項記載のナビゲーション装置との間の通信のための通信手段、
前記ナビゲーション装置に提供すべきデータを記憶するための提供元記憶手段、および
前記ナビゲーション装置に対するデータの提供を制御する制御手段を含み、
制御手段が、
（１）コンピュータネットワーク内からＵＲＬと該ＵＲＬによって識別される情報とを収集し、該ＵＲＬに係る地点のデータと該ＵＲＬに係るアイコンのデータと該情報の概要とを該ＵＲＬに関連付けて提供元記憶手段に記憶させ、
（２）ナビゲーション装置との間の通信回線を通信手段を用いて確立し、提供元記憶手段内のデータのうちの少なくとも一部分を、該通信回線を介してナビゲーション装置に対して提供することを特徴とする提供源。
【手続補正２】
【補正対象書類名】明細書
【補正対象項目名】０００８
【補正方法】変更
【補正の内容】
【０００８】
本発明は、地図が表示可能な表示手段への地図表示を制御する制御手段、および
コンピュータネットワーク上に蓄積されている情報を識別するためのＵＲＬと地図内の地点のデータとアイコンのデータとを相互に関連付けて記憶しているＵＲＬ記憶手段を含み、
制御手段が、地図の少なくとも一部分を表示手段に表示させ、かつＵＲＬ記憶手段の記憶内容に基づき、該地図の表示中の部分内の地点に関連付けられているＵＲＬに関連付けられているアイコンを、該地図の表示中の部分内の該地点に重ねて表示させ、
ＵＲＬに関連付けられているアイコンの一部分の形状が、ＵＲＬに関連付けられているアイコン固有の予め定める形状に統一されていることを特徴とするナビゲーション装置である。
【手続補正３】
【補正対象書類名】明細書
【補正対象項目名】０００９
【補正方法】変更
【補正の内容】
【０００９】
本発明に従えば、ナビゲーション装置において、地図内の地点にＵＲＬが関連付けられている場合、該ＵＲＬに関連付けられているアイコンが、地図の表示中の部分の該ＵＲＬに関連する地点に、直接重ねて表示される。この結果、ナビゲーション装置の使用者が地図とアイコンとを同時に確認可能なので、ナビゲーション装置の使い勝手が向上する。また、複数のＵＲＬに個別に関連付けられているアイコンの一部分の形状が統一されているので、アイコン作成の自由度を広く保ちつつ、アイコンが重ねられている地図を見やすくすることができる。これらによって、ナビゲーション装置の使い勝手がさらに向上する。
本発明は、ＵＲＬに関連付けられているアイコンと、ＵＲＬに関連付けられていない他のアイコンとが区別されて表示されることを特徴とする。
本発明に従えば、ＵＲＬに関連付けられているアイコンと、ＵＲＬに関連付けられていない他のアイコンとが区別されて表示される。したがって、ＵＲＬに関連付けられていないアイコンが、ＵＲＬに関連付けられているアイコンが表示されている地図にさらに重ねて表示されている場合でも、使用者は、ＵＲＬに関連付けられているアイコンを、ＵＲＬに関連付けられていない他のアイコンと間違う事なく確実に見分けることが可能になる。これによって、アイコンが重ねられた地図が見やすくなるので、ナビゲーション装置の使い勝手がさらに向上する。
【手続補正４】
【補正対象書類名】明細書
【補正対象項目名】００１０
【補正方法】変更
【補正の内容】
【００１０】
また本発明のナビゲーション装置は、指示入力のために用いられる入力手段、および
コンピュータネットワークとの間の通信のための通信手段をさらに含み、
前記制御手段が、入力手段からの入力結果に応答して、前記地図の表示中の部分に重ねて表示されていて、かつＵＲＬに関連付けられているアイコンを選択的に指定し、コンピュータネットワークとの間の通信回線を通信手段を用いて確立し、指定されているアイコンに関連付けられているＵＲＬによって識別される情報を、コンピュータネットワーク内から該通信回線を介して入手することを特徴とする。
【手続補正５】
【補正対象書類名】明細書
【補正対象項目名】００１１
【補正方法】変更
【補正の内容】
【００１１】
本発明に従えば、ナビゲーション装置において、地図の表示中の部分にＵＲＬ関連のアイコンが重ねて表示されている状況下で、いずれかの該アイコンが選択的に指定された場合、指定されているアイコンに関連付けられているＵＲＬによって識別される情報がコンピュータネットワーク内から入手される。上記の状況下で、かつＵＲＬ関連のアイコン形状が統一されているならば、情報を入手すべきＵＲＬに関連付けられているアイコンを使用者が容易に指定可能なので、ナビゲーション装置の使い勝手が向上する。
【手続補正６】
【補正対象書類名】明細書
【補正対象項目名】００３８
【補正方法】変更
【補正の内容】
【００３８】
また本発明のナビゲーション装置は、報知を実行するための報知手段、および通信を実行するための通信手段をさらに含み、
前記制御手段が、
（１）前記ＵＲＬによって識別される情報の概要の表示と共に、コンピュータネットワークからの該情報の入手を行うか否かを報知手段を用いて報知し、
（２）報知後の入力手段からの入力結果に応答し、前記情報の入手が指示された場合だけ、コンピュータネットワークとの間の通信回線を通信手段を用いて確立し、目的地と一致する地点に関連付けられているＵＲＬによって識別される情報を、コンピュータネットワーク内から該通信回線を介して入手することを特徴とする。
【手続補正７】
【補正対象書類名】明細書
【補正対象項目名】００５４
【補正方法】変更
【補正の内容】
【００５４】
地図の表示中の部分３２内の地点に対応するＵＲＬによって識別される情報の入手を望む場合、ナビゲーション装置１の使用者は、該地点に重ねて表示されているＵＲＬ関連のアイコン３１の選択指定の指示を、入力部１０から入力する。ナビゲーション装置１の制御部５は、入力部１０からの入力結果に応答して、地図の表示中の部分３２に重ねて表示されているＵＲＬ関連のアイコン３１を選択的に指定し、コンピュータネットワークとの間の通信回線を通信部８を用いて確立し、指定されているアイコン３１に関連するＵＲＬによって識別される情報を、コンピュータネットワーク内から該通信回線を介して入手する。このように地図の表示中の部分３２にＵＲＬ関連のアイコン３１が直接重ねて表示されているならば、ナビゲーション装置１の使用者が地図とアイコン３１とを同時に確認可能なので、情報を入手すべきＵＲＬに関連のアイコン３１を、使用者が容易に指定可能である。これによってナビゲーション装置１の使い勝手が向上する。
【手続補正８】
【補正対象書類名】明細書
【補正対象項目名】００８４
【補正方法】変更
【補正の内容】
【００８４】
使用者から解答によって情報入手が指示された場合だけ、ナビゲーション装置１の制御部５は、コンピュータネットワークとの間の通信回線を通信部８を用いて確立し、目的地と一致する地点に関連するＵＲＬによって識別される情報を、コンピュータネットワーク内から該通信回線を介して入手する。この結果、ＵＲＬによって識別される情報全体の入手の是非が、移動体の現在位置に応じて自動的に使用者に問われるので、使用者が必要とする情報をタイミング良く入手することが可能になる。
【手続補正９】
【補正対象書類名】明細書
【補正対象項目名】００９５
【補正方法】変更
【補正の内容】
【００９５】
【発明の効果】
以上のように本発明によれば、ナビゲーション装置において、地図内の地点にＵＲＬが関連付けられている場合、該ＵＲＬに関連付けられていて、かつ一部の形状が統一されているアイコンが、地図の表示中の部分の該ＵＲＬに関連する地点に、直接重ねて表示される。また本発明によれば、ＵＲＬに関連付けられているアイコンと、ＵＲＬに関連付けられていない他のアイコンとが区別されて表示される。また本発明によれば、地図の表示中の部分にＵＲＬ関連のアイコンが重ねて表示されている状況下でいずれかのＵＲＬに関連付けられているアイコンが選択的に指定された場合、指定されているアイコンに関連付けられているＵＲＬによって識別される情報がコンピュータネットワーク内から入手される。このようにナビゲーション装置においては、この結果、使用者が地図とアイコンとを同時に確認可能であり、かつアイコンが重ねられている地図が見やすくなっているので使い勝手が向上している。